(57)【特許請求の範囲】
【請求項１】
害虫(Y)に対する益虫(X)を、該益虫(X)と体長の異なる他の虫(Z)と分別して採集するための益虫分別採集装置(1)であって、
中空状の本体部(4)と、
前記本体部(4)の一方の開口端(6)と連通され、前記益虫(X)及び前記他の虫(Z)を投入するために開口された開口投入部(8)と、
前記本体部(4)内において、前記開口投入部(8)と反対側の位置に設けられた、前記益虫(X)に対する誘引性を示す波長の光を発することが可能な光源(10)と、
前記本体部(4)内で前記開口投入部(8)と光源(10)との間に設けられ、該本体部(4)内を、前記開口投入部(8)側の投入側領域と、前記光源(10)側の光源側領域とに区画すると共に、前記益虫(X)又は前記他の虫(Z)のいずれか一方を通過させ、他方を通過させない大きさに目を形成したメッシュ部(12)と
を備えることを特徴とする益虫分別採集装置。
【請求項２】
請求項１に記載の益虫分別採集装置であって、さらに、
前記開口投入部(8)と前記メッシュ部(12)との間に、返し部(14)を設けてなることを特徴とする益虫分別採集装置。
【請求項３】
請求項２に記載の益虫分別採集装置であって、
前記返し部(14)を複数設けてなることを特徴とする益虫分別採集装置。
【請求項４】
請求項１〜３のいずれか一に記載の益虫分別採集装置であって、
前記メッシュ部(12)が、目の大きさの異なる複数のメッシュ部(12)を備えることを特徴とする益虫分別採集装置。
【請求項５】
請求項１〜４のいずれか一に記載の益虫分別採集装置であって、
前記メッシュ部(12)の目の大きさが、０．５ｍｍ以下であることを特徴とする益虫分別採集装置。
【請求項６】
請求項１〜５のいずれか一に記載の益虫分別採集装置であって、
益虫(X)がタイリクヒメハナカメムシであることを特徴とする益虫分別採集装置。
【請求項７】
請求項１〜６のいずれか一に記載の益虫分別採集装置であって、
前記害虫(Y)がアザミウマ類であることを特徴とする益虫分別採集装置。
【請求項８】
請求項１〜７のいずれか一に記載の益虫分別採集装置であって、
前記光源(10)が半導体発光素子であることを特徴とする益虫分別採集装置。
【請求項９】
請求項１〜８のいずれか一に記載の益虫分別採集装置であって、
前記光源(10)が発光ダイオードであることを特徴とする益虫分別採集装置。
【請求項１０】
害虫(Y)に対する益虫(X)を、該益虫(X)と体長の異なる他の虫(Z)と分別して採集するための方法であって、
中空状の本体部(4)の一方の開口端(6)と連通された開口投入部(8)から益虫(X)を投入する一方、前記本体部(4)内において、前記開口投入部(8)と反対側の位置に設けられた光源(10)を点灯し、前記益虫(X)に対する誘引性を示す、ピーク波長を４５０ｎｍ〜５５０ｎｍとする光を照射する工程と、
前記光の照射によって前記益虫(X)を誘引すると共に、前記本体部(4)内で前記開口投入部(8)と前記光源(10)との間に設けられ、該本体部(4)内を、前記開口投入部(8)側の投入側領域と、前記光源(10)側の光源側領域とに区画すると共に、前記益虫(X)又は前記他の虫(Z)のいずれか一方を通過させ、他方を通過させない大きさに目を形成したメッシュ部(12)でもって、前記益虫(X)を、投入側領域と光源側領域のいずれかに集める工程と
を含むことを特徴とする益虫分別採集方法。
【発明の詳細な説明】
【技術分野】
【０００１】
本発明は、益虫を分別するための益虫分別採集装置及び益虫分別採集方法に関し、例えば益虫であるタイリクヒメハナカメムシを他の害虫などから分別する益虫分別採集装置及び益虫分別方法に関する。
【背景技術】
【０００２】
従来、農作物の育成に際して、病害虫を除去するために化学薬品である農薬（化学農薬）が散布されてきた。一方で化学農薬の散布に代えて、病害虫に対し天敵昆虫（益虫）を生物農薬として投入し、病害虫を駆除する方法も利用されている。この方法であれば、化学農薬を用いる方法に比べ、残留農薬の問題がなく、安全性が高いとされている。
【０００３】
例えば、ピーマン等の野菜の栽培においては、アザミウマ等による食害が発生する。これらの病害虫であるアザミウマ類に対しては、天敵昆虫としてタイリクヒメハナカメムシが知られている。タイリクヒメハナカメムシは、国内では関東以南の日本本土および沖縄、小笠原諸島、台湾、中国本大陸等に分布する。広食性で主にアザミウマ類、ダニとアブラムシ類等を常食し、ヨトウムシ類の卵および若齢幼虫や花粉等も食べることが知られている。本種は休眠性が比較的浅いことから、生物農薬として市販され、主に施設ピーマン等に発生するアザミウマ類の防除に利用されている。
【０００４】
しかしながら、害虫の捕獲については従来から種々の捕獲器が提案されているが（例えば、特許文献１及び特許文献２参照。）、益虫を簡便に採集できる装置や採集方法については殆ど開示されていないのが現状である。益虫の採集に手間やコストがかかりすぎると、化学農薬を代替することが困難となる。このような背景から、化学農薬を置き換える生物農薬を普及させるため、より低コストで簡便に益虫を採集できる手法が求められていた。
【０００５】
特にタイリクヒメハナカメムシは、自生するクローバーやセイタカアワダチソウの花の中でよく観察される。よって、クローバー等を採取して昆虫類を叩き出すことで、タイリクヒメハナカメムシを採集できる。しかしながら、これらの草木にはアザミウマ類等も発生しているため、このままでは害虫も含まれた状態となってしまう。そこで、生物農薬として利用するには、益虫であるタイリクヒメハナカメムシのみを効率よく分別して採集する必要があった。ところが、タイリクヒメハナカメムシの体長は図４に示す通り３ｍｍ程度（太さに至っては３μｍ程度）、アザミウマの全長は１ｍｍ程度と非常に小さいため、肉眼では判別が困難であり、タイリクヒメハナカメムシのみを手作業で分別することは極めて煩雑であった。
【先行技術文献】
【特許文献】
【０００６】
【特許文献１】特開２００７−１６７００９号公報
【特許文献２】特開２００６−０２５７０９号公報
【発明の概要】
【発明が解決しようとする課題】
【０００７】
本発明は、従来のこのような背景に鑑みてなされたものである。本発明の主な目的は、より簡便に益虫を他の害虫から分別して採集可能とした益虫分別採集装置及び益虫分別採集方法を提供することにある。
【課題を解決するための手段】
【０００８】
上記目的を達成するため、本発明の益虫分別採集装置は、害虫Ｙに対する益虫Ｘを、該益虫Ｘと体長の異なる他の虫Ｚと分別して採集するための益虫分別採集装置１であって、中空状の本体部４と、前記本体部４の一方の開口端６と連通され、前記益虫Ｘ及び前記他の虫Ｚを投入するために開口された開口投入部８と、前記本体部４内において、前記開口投入部８と反対側の位置に設けられた、前記益虫Ｘに対する誘引性を示す波長の光を発することが可能な光源１０と、前記本体部４内で前記開口投入部８と光源１０との間に設けられ、該本体部４内を、前記開口投入部８側の投入側領域と、前記光源１０側の光源側領域とに区画すると共に、前記益虫Ｘ又は前記他の虫Ｚのいずれか一方を通過させ、他方を通過させない大きさに目を形成したメッシュ部１２とを備えることを特徴とする。
【０００９】
また、本発明の益虫分別採集装置において、さらに、前記開口投入部８と前記メッシュ部１２との間に、返し部１４を設けてなることを特徴とする。
【００１０】
また、本発明の益虫分別採集装置において、前記返し部１４を複数設けてなることを特徴とする。
【００１１】
さらに、本発明の益虫分別採集装置において、前記メッシュ部１２が、目の大きさの異なる複数のメッシュ部１２を備えることを特徴とする。
【００１２】
また、本発明の益虫分別採集装置において、前記メッシュ部１２の目の大きさが、０．５ｍｍ以下であることを特徴とする。
【００１３】
また、本発明の益虫分別採集装置において、前記益虫Ｘがタイリクヒメハナカメムシであることを特徴とする。
【００１４】
さらに、本発明の益虫分別採集装置において、前記害虫Ｙがアザミウマ類であることを特徴とする。
【００１５】
また、本発明の益虫分別採集装置において、前記光源１０が半導体発光素子であることを特徴とする。
【００１６】
さらにまた、本発明の益虫分別採集装置において、前記光源１０が発光ダイオードであることを特徴とする。
【００１７】
また、本発明の益虫分別採集方法は、害虫Ｙに対する益虫Ｘを、該益虫Ｘと体長の異なる他の虫Ｚと分別して採集するための方法であって、中空状の本体部４の一方の開口端６と連通された開口投入部８から益虫Ｘを投入する一方、前記本体部４内において、前記開口投入部８と反対側の位置に設けられた光源１０を点灯し、前記益虫Ｘに対する誘引性を示す、ピーク波長を４５０ｎｍ〜５５０ｎｍとする光を照射する工程と、前記光の照射によって前記益虫Ｘを誘引すると共に、前記本体部４内で前記開口投入部８と前記光源１０との間に設けられ、該本体部４内を、前記開口投入部８側の投入側領域と、前記光源１０側の光源側領域とに区画すると共に、前記益虫Ｘ又は前記他の虫Ｚのいずれか一方を通過させ、他方を通過させない大きさに目を形成したメッシュ部１２でもって、前記益虫Ｘを、投入側領域と光源側領域のいずれかに集める工程とを含むことを特徴とする。
【発明の効果】
【００１８】
本発明の益虫分別採集装置によると、光源が発する光によって益虫を含む虫を光源側へ誘引する一方、メッシュ部によって体長に応じて益虫と他の虫とを分別することができ、益虫を他の虫から低コストで簡便に分別して採集することが可能となる。
【００１９】
また、本発明の益虫分別採集装置に係る開口投入部とメッシュ部との間に、返し部を設けることによって、益虫などの虫が開口投入部側に逆行することを阻止して、分別の精度を向上させることができる。
【００２０】
また、本発明の益虫分別採集装置に係る返し部を複数設けることによって、益虫などの虫が開口投入部側に逆行することを多段階で阻止することができる。
【００２１】
また、本発明の益虫分別採集装置に係るメッシュ部が、目の大きさの異なる複数のメッシュ部を備えることによって、目の大きさに応じて体長の異なる虫に効率よく分別できる。
【００２２】
さらに、本発明の益虫分別採集装置に係るメッシュ部の目の大きさを０．４ｍｍ以下とすることによって、例えば害虫のアザミウマ類の益虫であるタイリクヒメハナカメムシを、他の虫から分別して採集することができる。
【００２３】
また、本発明の益虫分別採集装置に係る光源に半導体発光素子や発光ダイオードを採用することによって、益虫の誘引性を高めることができると共に、エネルギー効率も高めることができる。
【００２４】
また、本発明の益虫分別採集方法によると、光源が発する光によって虫を誘引する一方、メッシュ部によって体長に応じて虫を分別することにより、益虫を簡便に分別採集することが可能となる。
【図面の簡単な説明】
【００２５】
【図１】本発明の実施形態１に係る益虫分別採集装置を示す概略断面図である。
【図２】本発明の実施形態２に係る益虫分別採集装置を示す概略断面図である。
【図３】本発明の実施形態３に係る益虫分別採集装置を示す概略断面図である。
【図４】虫の全長と太さを示す模式図である。
【図５】タイリクヒメハナカメムシ雌成虫のＬＥＤ光に対する応答反応の試験結果を示した図である。
【図６】飢餓状態のタイリクヒメハナカメムシ雌成虫のＬＥＤ光に対する応答反応の試験結果を示した図である。
【図７】タイリクヒメハナカメムシの色彩に対する応答反応の試験結果を示した図である。
【図８】各色物体色反射波長スペクトルを示した図である。
【図９】実験装置Ａによるタイリクヒメハナカメムシの移動位置を示した図である。
【図１０】実験装置Ａによるヒラズハナアザミウマの移動位置を示した図である。
【図１１】実験装置Ｂによるタイリクヒメハナカメムシの移動位置を示した図である。
【発明を実施するための形態】
【００２６】
以下、本発明の実施形態を図面に基づいて説明する。ただし、以下に示す実施形態は、本発明の技術思想を具体化するための益虫分別採集装置及び益虫分別採集方法を例示するものであって、本発明は益虫分別採集装置及び益虫分別採集方法を以下のものに特定しない。また、本明細書は特許請求の範囲に示される部材を、実施の形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２７】
（実施の形態１）
図１に本発明の実施形態１に係る益虫分別採集装置の概略断面図を示す。この図に示す益虫分別採集装置１は、害虫Ｙに対する益虫Ｘを、該益虫Ｘと体長の異なる他の虫Ｚと分別して採集するための装置であって、中空状の本体部４と、本体部４の一方の開口端６と連通され、益虫Ｘ及び他の虫Ｚを投入するために開口された開口投入部８と、本体部４内において、開口投入部８と反対側の位置に設けられた、益虫Ｘに対する誘引性を示す波長の光を発することが可能な光源１０と、本体部４内で開口投入部８と光源１０との間に設けられ、本体部４内を、開口投入部８側の投入側領域と、光源１０側の光源側領域とに区画すると共に、益虫Ｘ又は他の虫Ｚのいずれか一方を通過させ、他方を通過させない大きさに目を形成したメッシュ部１２と、を含んで構成されている。
【００２８】
本実施形態１の益虫分別採集装置１に係る中空状の本体部４の一方には、開口端６と連通された開口投入部８が設けられている。この開口投入部８から本体部４内へ、野外にて採集した益虫Ｘが他の虫Ｚと共に投入されることとなる。
【００２９】
また、本実施形態１の益虫分別採集装置１に係る本体部４の他方、つまり開口投入部８と反対側の位置には、益虫Ｘに対する誘引性を示す波長の光を発することが可能な光源１０が配設されている。従って、開口投入部８から本体部４内へ投入された益虫Ｘは、光源１０から発せられる光によって誘引され、開口投入部８側から光源１０側へと本体部４内を移動していくこととなる。
【００３０】
なお、光源１０としては、益虫Ｘに対する誘引性を示す波長の光を発することができれば特に限定されないが、例えば、半導体発光素子や発光ダイオードなどが挙げられる。
【００３１】
そして、本実施形態１の益虫分別採集装置１に係る本体部４内における開口投入部８と光源１０との間には、メッシュ部１２が設けられている。このメッシュ部１２によって、本体部４内は、開口投入部８側の投入側領域と、光源１０側の光源側領域とに区画されている。さらに、このメッシュ部１２は、益虫Ｘ又は他の虫Ｚのいずれか一方を通過させ、他方を通過させない大きさの目が形成されている。
【００３２】
さらに、本実施形態１の益虫分別採集装置１に係る本体部４内において、開口投入部８とメッシュ部１２との間には、返し部１４が設けられている。返し部１４は本体部４内の壁面に、開口投入部８側から光源１０側に向かって斜めに傾斜した状態で配設されている。従って、一旦、開口投入部８側から光源１０側へ返し部１４を超えて移動した益虫Ｘや他の虫Ｚは、この返し部１４によって再び開口投入部８側へ逆行することが非常に困難となる。
【００３３】
以上の構成からなる本実施形態１の益虫分別採集装置１による益虫分別採集方法は以下の通りである。なお、以下では、アザミウマ類（害虫Ｙ）に対する益虫Ｘとして、タイリクヒメハナカメムシを、害虫Ｙや他の虫Ｚから分別して採集する方法について説明する。
【００３４】
まず、予め採取したクローバーの花等をビニール袋に入れ、益虫Ｘであるタイリクヒメハナカメムシを、アザミウマ類（害虫Ｙ）や他の虫（Ｚ）と共に叩き出しておく。その後、ビニール袋から花等を取り出し、益虫Ｘを含む昆虫類を本実施形態１の益虫分別採集装置１に係る開口投入部８から本体部４内へ投入する。
【００３５】
そして、本体部４内において、開口投入部８と反対側の位置に設けられた光源１０を点灯し、タイリクヒメハナカメムシ（益虫Ｘ）に対する誘引性を示す波長の光を照射する。ここで、タイリクヒメハナカメムシ（益虫Ｘ）に対する誘引性を示すピーク波長は、４５０ｎｍ〜５５０ｎｍとすることが好ましい。光源１０のピーク波長の好ましい範囲については後述の実験例にて説明するが、少なくとも光源１０のピーク波長が４５０ｎｍ〜５５０ｎｍの範囲外の場合、タイリクヒメハナカメムシの誘引率が低下し、分別採集効率が悪い。
【００３６】
光源１０を点灯することによって、タイリクヒメハナカメムシ（益虫Ｘ）は光源１０から発せられる光によって誘引され、光源１０側に移動していく。このとき、タイリクヒメハナカメムシ以外に、害虫Ｙであるアザミウマ類や他の虫Ｚも光源１０からの光によって誘引され、光源１０側へ移動していく。
【００３７】
そして、光源１０側へ移動してきたタイリクヒメハナカメムシなどは、本体部４内の開口投入部８と光源１０との間に設けられたメッシュ部１２によって分別されることとなる。本体部４内は、メッシュ部１２によって開口投入部８側の投入側領域と、光源１０側の光源側領域とに区画されている。このメッシュ部１２には、益虫Ｘ又は害虫Ｙを含む他の虫Ｚのいずれか一方を通過させ、他方を通過させない大きさの目が形成されているため、メッシュ部１２によって、採集したい益虫Ｘを、投入側領域と光源側領域のいずれかに集めて分別採集することができる。
【００３８】
ここで、例えばメッシュ部１２の目の大きさを０．４ｍｍ以下とすることによって、メッシュ部１２を通過できないタイリクヒメハナカメムシ（益虫Ｘ）は開口投入部８側の投入側領域に集められ、アザミウマ類（害虫Ｙ）などはメッシュ部１２を通過して光源１０側の光源側領域に集められることとなる。つまり、メッシュ部１２によって、益虫Ｘと害虫Ｙなどを分別することができ、投入側領域に集められたタイリクヒメハナカメムシを、ピーマンなどの栽培施設内へ生物農薬として投入することができる。
【００３９】
なお、本実施形態１の益虫分別採集装置１に係る本体部４内には返し部１４が配設されている。従って、メッシュ部１２によって害虫Ｙなどから分別されたタイリクヒメハナカメムシ（益虫Ｘ）が再び開口投入部８側へ移動しようとしても、この返し部１４によってその移動を抑制されるため、採集効率の向上を図ることができる。
【００４０】
以上の構成を含んでなる本実施形態１の益虫分別採集装置１によると、光源１０が発する光によって益虫Ｘを含む虫（害虫Ｙや他の虫Ｚ）を光源１０側へ誘引する一方、メッシュ部１２によって体長に応じて益虫Ｘと害虫Ｙなどとを分別することができ、益虫Ｘを害虫Ｙや他の虫Ｚから低コストで簡便に分別して採集することが可能となる。
【００４１】
特に、農生態系に自生するクローバー等の花には土着天敵のタイリクヒメハナカメムシ（益虫Ｘ）と微小害虫のアザミウマ類（害虫Ｙ）が発生する。本実施形態１の益虫分別採集装置１を利用することで、クローバー等から採集した昆虫類の中からタイリクヒメハナカメムシ（益虫Ｘ）のみを分別、採集することができる。従って、それをナスやピーマン等の栽培施設内に投入することによって、低コストで害虫Ｙのアザミウマ類の密度抑制に利用することができる。
【００４２】
（実施形態２）
次に、本発明の実施形態２に係る益虫分別採集装置１ａについて説明する。図２に本実施形態２の益虫分別採集装置１ａの概略断面図を示す。同図に示す益虫分別採集装置１ａは、基本的には上記の実施形態１に係る益虫分別採集装置１と同様の構成を備えるが、さらにメッシュ部１２が、目の大きさの異なる複数のメッシュ部１２ａ、１２ｂ、１２ｃによって構成されている。そして、開口投入部８側から光源１０側に向かって、目の大きさがメッシュ部１２ａ＞メッシュ部１２ｂ＞メッシュ部１２ｃの順に段々小さくなるように構成されている。なお、各メッシュ部１２ａ、１２ｂ、１２ｃに係る目の大きさは特に限定されないが、例えばメッシュ部１２ａの目の大きさを０．６ｍｍとしたとき、メッシュ部１２ｂの大きさを０．４ｍｍ、メッシュ部１２ｃの目の大きさを０．２ｍｍ、のように設定することができる。
【００４３】
また、本実施形態２に係る益虫分別採集装置１ａに係る本体部４内には、メッシュ部１２ａとメッシュ部１２ｂとの間、メッシュ部１２ｂとメッシュ部１２ｃとの間、メッシュ部１２ｃと光源１０との間に、返し部１４がそれぞれ設けられている。各返し部１４は本体部４内の壁面に、開口投入部８側から光源１０側に向かって斜めに傾斜した状態で配設されている。従って、一旦、開口投入部８側からメッシュ部１２ａ、１２ｂ、１２ｃを通過して光源１０側へ移動した益虫Ｘなどは、各返し部１４によって再び開口投入部８側へ逆行することが非常に困難となり、メッシュ部１２ａとメッシュ部１２ｂとの間、メッシュ部１２ｂとメッシュ部１２ｃとの間、メッシュ部１２ｃと光源１０との間の何れかの領域に効率よく高精度で分別されることとなる。
【００４４】
以上、本実施形態２に係る益虫分別採集装置１ａについて説明したが、この益虫分別採集装置１ａに係る複数のメッシュ部１２ａ、１２ｂ、１２ｃの目の大きさを上記のように設定することによって、例えばアザミウマ類（害虫Ｙ）の益虫Ｘであるタイリクヒメハナカメムシを、害虫Ｙや他の虫Ｚから効率よく分別採集することが可能である。具体的には、上記実施形態１において説明した分別採集方法と同様にして、自生するクローバーの花等から益虫Ｘであるタイリクヒメハナカメムシを、アザミウマ類（害虫Ｙ）や他の虫Ｚと共に採集し、益虫Ｘを含む昆虫類を本実施形態２の益虫分別採集装置１ａに係る開口投入部８から本体部４内へ投入する。
【００４５】
すると、光源１０から発せられる光によって益虫Ｘなどは光源１０側へと誘引され、まず目の大きさを０．６ｍｍとしたメッシュ部１２ａを益虫Ｘであるタイリクヒメハナカメムシやアザミウマ類（害虫Ｙ）などは通過していき、メッシュ部１２ａを通過できない他の虫Ｚが分別される。
【００４６】
メッシュ部１２ａを通過したタイリクヒメハナカメムシ（益虫Ｘ）などは光源１０側へとさらに誘引されて、次のメッシュ部１２ｂに到達する。ここで、メッシュ部１２ｂの目の大きさを０．４ｍｍとすると、タイリクヒメハナカメムシはこのメッシュ部１２ｂを通過できないが、アザミウマ類（害虫Ｙ）や０．４ｍｍ未満の他の虫Ｚなどは通過できるため、メッシュ部１２ｂを通過してさらに光源１０側へと移動していく。なお、メッシュ部１２ｂを通過できなかったタイリクヒメハナカメムシの一部には、開口投入部８側へ逆行しようとするものもいるが、返し部１４を設けているので、メッシュ部１２ａを通過したタイリクヒメハナカメムシの大部分をメッシュ部１２ａとメッシュ部１２ｂの間にて採集することができる。
【００４７】
そして、メッシュ部１２ｃの目の大きさを０．２ｍｍとしたとき、このメッシュ部１２ｃを通過可能なアザミウマ類（害虫Ｙ）や０．２ｍｍ未満の他の虫Ｚは光源１２側へ更に移動し、メッシュ部１２ｃを通過できなかった虫は、メッシュ部１２ｂとメッシュ部１２ｃとの間にて採集することができる。また、メッシュ部１２ｂとメッシュ部１２ｃとの間、メッシュ部１２ｃと光源１０との間にも返し部１４を設けているので、各メッシュ部１２ｂ、１２ｃを通過した虫をそれぞれの領域から開口投入部８側へ逆行することを抑制できる。従って、特にタイリクヒメハナカメムシを分別したメッシュ部１２ａとメッシュ部１２ｂの間に、アザミウマ類（害虫Ｙ）などが逆行して分別精度が低下することを防止できる。
【００４８】
（実施形態３）
本発明の実施形態１及び実施形態２に係る益虫分別採集装置１、１ａでは、メッシュ部１２（１２ａ、１２ｂ、１２ｃ）と返し部１４とを個別の部材として設けているが、これらを統合させてもよい。このような実施形態を図３に示す。同図に示す本発明の実施形態３に係る益虫分別採集装置１ｂは、メッシュ部１２と返し部１４とを一体に設けてある。このような構成によっても、益虫Ｘと害虫Ｙや他の虫Ｚとを分別して採集できると共に、返し部１４によって、メッシュ部１２を通過した害虫Ｙなどの逆行を阻止することができる。
【００４９】
以上、本発明の益虫分別採集装置の種々の実施形態について詳述したが、本発明の益虫分別採集装置の実施形態は上記のものに限定されない、例えば、本発明の実施形態２に係る益虫分別採集装置１ａにおいて、各メッシュ部１２ａ、１２ｂ、１２ｃの位置、或いは各返し部１４の位置で、本体部４が分割できる構成とされることが好ましい。本体部４を何れかの位置で分割できるように構成することによって、メッシュ部１２ａとメッシュ部１２ｂとの間やメッシュ部１２ｂとメッシュ部１２ｃとの間といった各領域に分別された益虫Ｘや害虫Ｙなどを、分別された状態のままで採集することができると共に、採集作業自体も簡便に行うことができる。
【００５０】
また、例えば、本発明の実施形態２に係る益虫分別採集装置１ａにおいて、メッシュ部１２ａとメッシュ部１２ｂとの間などの領域に配設される返し部１４は、各領域において１つに限定されるものではなく、各領域において複数の返し部１４が設けられてもよい。
【００５１】
次に、本発明の益虫分別採集装置による益虫Ｘの分別採集について、実験例に基づいて説明する。なお、以下の各実験例では、ピーマンなどの農産物に発生するアザミウマ類（害虫Ｙ）の益虫Ｘであるタイリクヒメハナカメムシの分別採集について調べた。
【００５２】
（実験例１）
まず、タイリクヒメハナカメムシ（益虫Ｘ）のＬＥＤ光に対する応答反応を調べた。応答反応試験には、透明プラスチック製の円筒（直径約１０ｃｍ×長さ約１００ｃｍ）を用いた。その中央よりタイリクヒメハナカメムシ雌成虫を２０頭投入し、片端に設置したＬＥＤ単色光の点灯６０分後に光源から１０ｃｍ以内の雌成虫の移動数を調査した。また、飢餓状態の雌成虫も同様に調査した。試験は、恒温室（室温：約２５℃、湿度約７０％、暗条件）内で５種類のＬＥＤ単色光（ピーク波長が３７５ｎｍ（紫外）、４７０ｎｍ（青）、５２５ｎｍ（緑）、５７０ｎｍ（黄）、６６０ｎｍ（赤）、いずれも日亜化学社製）ごとに３反復実施した。
【００５３】
その結果、各雌成虫の各ＬＥＤ単色光に対する応答反応を図５と図６に示した。各図において、誘引率（％）＝光源から１０ｃｍ内定位数／放虫数×１００、光強度の計測には、高速分光ユニット（ＨＳＵ−１００Ｓ、朝日分光社製）を使用した。タイリクヒメハナカメムシ雌成虫は、ピーク波長３７５ｎｍ、４７０ｎｍと５２５ｎｍの光が他光に比べて強い誘引性がみられた。雌の応答反応は各ＬＥＤ単色光とも餌の有無により、有意な差は認められなかった。
【００５４】
（実験例２）
タイリクヒメハナカメムシの色彩に対する応答反応を調べた。当該応答反応試験には、６色の色紙（標準色紙（ＪＩＳ規格）２０色、９×６．５ｃｍ）を供試した。それぞれの色紙にＯＨＰフィルムをかぶせ、粘着剤（商品名：金竜）を吹きつけ、プラスチックケージ（６０×６０×６０ｃｍ）内に並べた。そのケージに雌雄成虫をケージ中央に３０頭投入し、２４時間後に捕獲数を調査した。試験は恒温室（室温約２０℃、湿度約７０％）内で６反復実施した。
【００５５】
その結果を図７に示した。なお、Ｔｕｋｅｙの多重比較で同じアルファベットは、有意水準５％で有意差がないことを示す。雌雄とも５ＢＧ５／８（青緑）と１０ＢＧ４／９（青緑）に高い反応性を示した。
【００５６】
また、各色の反射波長を図８に示した。測定には、朝日分光社製、高速分光ユニット（ＨＳＵ−１００Ｓ）拡散反射ユニットを使用した。反射波長のピークは、５ＢＧ５／８（青緑）は４９１ｎｍ、１０ＢＧ４／９（青緑）は４８７ｎｍであった。
【００５７】
（実験例３）
上記の実験結果を受けて、タイリクヒメハナカメムシ（益虫Ｘ）を害虫（Ｙ）と分別し採集する実験装置Ａ及び実験装置Ｂを作成した。本実験装置Ａ、Ｂは、上記実施形態２に係る益虫分別採集装置１ａとほぼ同様の構成であり、ＬＥＤ（光源１０）には、ピーク波長約４７０ｎｍ（ＣＣＳ社製、ＬＤＦ−２６Ｘ２６ＢＬ）を利用し、一方の底面が目合いの異なるメッシュ（メッシュ部１２）となった円筒をつなぎ合わせて本体部４とした。そして、メッシュの目合いは０．２ｍｍ、０．４ｍｍ、０．６ｍｍ、０．８ｍｍ、１．０ｍｍ、２．０ｍｍとした。なお、実験段階で、タイリクヒメハナカメムシが開口投入口８方向へ逆行する傾向がみられたことから、実験装置Ａは返し部１４のないタイプとし、実験装置Ｂは返し部１４を取り付けた。
【００５８】
本実験装置Ａ、Ｂでクローバー等に寄生したタイリクヒメハナカメムシ（益虫Ｘ）を採集することを想定して、タイリクヒメハナカメムシとヒラズハナアザミウマ（アザミウマ類（害虫Ｙ）の分別を検討した。試験は恒温室（２５℃）内に本実験装置Ａ（返し部１４のないタイプ）を設置し、タイリクヒメハナカメムシは１回目に５０頭、２、３回目には１００頭を、ヒラズハナアザミウマ（害虫Ｙ）は自生したクローバーを採取し、花から２０〜５０頭叩き出し、併せて実験装置Ａの一端の開口投入部８から投入し、両虫の移動箇所を調査した。続いて、実験装置Ｂ（返し部１４のあるタイプ）を用いてタイリクヒメハナカメムシを１００頭、６回投入し、本虫の移動箇所を調査した。
【００５９】
実験装置Ａによる分別効果を図９、図１０に示した。なお、各図は実験３回の平均値を示しており、凡例中の数値はメッシュの目合いの大きさを示している。益虫Ｘのタイリクヒメハナカメムシは０．４ｍｍ目合いメッシュを越えて、ＬＥＤ照射方向へ近づいた個体は全くみられなかった。また、害虫Ｙのヒラズハナアザミウマは４時間後には０．２ｍｍと０．４ｍｍ目合いメッシュに挟まれた円筒内に約９４％が移動した。投入後、タイリクヒメハナカメムシは２時間後に約９３％が１ｍｍ目合いメッシュを越え照射方向へ、ヒラズハナアザミウマは４時間後にはほぼ１００％が同方向へ移動した。
【００６０】
次に、実験装置Ｂの分別効果を図１１に示した。なお、同図は実験６回の平均値を示しており、図中凡例の数値はメッシュの目合いの大きさ、Ｒはロートによる返し部を示している。益虫Ｘのタイリクヒメハナカメムシが開口投入部８へ逆行しないようにプラスッチク製ロートを返し部１４として取り付けた場合、４時間後には約７３％の個体が０．４ｍｍ目合いメッシュと最初の返しの間に偏って移動した。
【産業上の利用可能性】
【００６１】
本発明の益虫分別採集装置及び益虫分別採集方法は、タイリクヒメハナカメムシの他に、ナミヒメハナカメムシ、タバコカスミカメ、コミドリチビトビカスミカメ等にも好適に適用できる。
【符号の説明】
【００６２】
１，１ａ，１ｂ：益虫分別採集装置
４：本体部
６：一方の開口端
８：開口投入部
１０：光源
１２、１２ａ、１２ｂ、１２ｃ：メッシュ部
１４：返し部
Ｘ：益虫
Ｙ：害虫
Ｚ：第二の虫
【図１】
0005950472.tif 000002
【図２】
0005950472.tif 000003
【図３】
0005950472.tif 000004
【図４】
0005950472.tif 000005
【図５】
0005950472.tif 000006
【図６】
0005950472.tif 000007
【図７】
0005950472.tif 000008
【図８】
0005950472.tif 000009
【図９】
0005950472.tif 000010
【図１０】
0005950472.tif 000011
【図１１】
0005950472.tif 000012